(57)【要約】      （修正有）【課題】実際の要求に応じてプラグが変更でき、異なる仕様なプラグを変更するときに一回で完成出来、操作が容易でかつ便利なマルチファンクションプラグ変換器を提供する。【解決手段】ケース１０と、第１のプラグ２０と、第２のプラグ３０と、連動手段４０と、位置決め手段５０と、１対の導電部品６０とを備える。第１のプラグと第２のプラグとをこのケース内に摺動自在に設け、連動手段が第１のプラグと第２のプラグとの間に接続することにより、第１のプラグと第２のプラグとが互いに対して連動できる。位置決め手段は第１のプラグに接続され、第１のプラグ及び第２のプラグが伸び出し並びに収納されるときに、位置決めを行う。【選択図】図３
0003107160.tif 000002
【実用新案登録請求の範囲】
【請求項１】
ケースと、
このケース内に摺動自在に設けられる第1のプラグと、
このケース内に摺動自在に設けられる第２のプラグと、
第1のプラグと第２のプラグとが互いに対して連動できるように、第1のプラグと第２のプラグとの間に接続される連動手段と、
第1のプラグに接続され第1のプラグ及び第２のプラグが伸びだし並びに収納されるとき位置決めを行う位置決め手段と、を備えるマルチファンクションプラグ変換器。
【請求項２】
上記ケースは、係合または螺合の手段にて第１の半ケースと第２の半ケースより構成されることを特徴とする請求項１記載のマルチファンクションプラグ変換器。
【請求項３】
上記第1のプラグは１対の第１のピンを含み、これら１対の第１のピンの後端は第１のベース部に接続され、上記第1のプラグは第１のベース部よりケース内に摺動可能に設けられ、上記第２のプラグは１対の第２のピンを含み、これら１対の第２のピンの後端は第２のベース部に接続され、上記第２のプラグは第２のベース部よりケース内に摺動可能に設けられることを特徴とする請求項１記載のマルチファンクションプラグ変換器。
【請求項４】
上記ケースの前側には１対の第１貫通穴と１対の第２貫通穴が設けられ、かつ、上記第1のプラグの第１のピンは第１の貫通穴に沿って前に伸び出され、上記第２のプラグの第２のピンは第２の貫通穴に沿って前に伸び出されることを特徴とする請求項３記載のマルチファンクションプラグ変換器。
【請求項５】
上記第1のプラグの第１のベース部上に二つの第１の導電シートが固定され、また、上記第２のプラグの第２のベース部上に二つの第２の導電シートが固定され、ケース内に１対の導電部品が設けられ、前記二つの導電部品にはそれぞれ導線が電気的に接続され、かつそれぞれ第１の導電シートと第２の導電シートに対応する第１のコンタクトと第２のコンタクトが形成され、この第1のプラグが前に伸び出されるときに、第1のプラグの二つの第１の導電シートはこの二つの導電部品の第１のコンタクトと接して電気的に接続が達成出来、この第２のプラグが前に伸び出されるときに、第２のプラグの二つの第２の導電シートはこの二つの導電部品の第２のコンタクトと接して電気的に接続が達成出来ることを特徴とする請求項３記載のマルチファンクションプラグ変換器。
【請求項６】
上記第1のプラグの第１のピンと上記第２のプラグの第２のピンとは導線に電気的に接続されることを特徴とする請求項３記載のマルチファンクションプラグ変換器。
【請求項７】
上記連動手段は枢座と歯車とを有し、この枢座はケース内に固定され、この歯車が該枢座に枢設され、上記第１のベース部に一列の第１の柱体が設けられ、上記第２のベース部に一列の第２の柱体が設けられ、歯車の上辺側及び下辺側をそれぞれ第１のベース部の第１の柱体及び第２のベース部の第２の柱体と噛み合わせることを特徴とする請求項３記載のマルチファンクションプラグ変換器。
【請求項８】
上記位置決め手段はスライダーを備え、このスライダーの上にプッシュボタンが突設され、このスライダーはケース内に摺動可能に設けられ、かつ、プッシュボタンはケースの一側の滑り溝内に摺動可能に嵌合され、このスライダーの底部に柱型ピン及び片状ピンが突設され、これらの柱型ピン及び片状ピンが第1のプラグの第１のベース部上の対応する挿穴に移動可能に挿入され、上記位置決め手段のスライダーと第1のプラグの第１のベース部の間に複数のスプリングが設けられ、このケースの内壁に複数の位置決め溝が設けられ、このスライダーの片状ピンがこの位置決め溝内に選択可能に挿入、位置決められることで、第1のプラグ及び第２のプラグが伸びだし又は収納されるときに位置決めさせることを特徴とする請求項３記載のマルチファンクションプラグ変換器。
【請求項９】
上記ケースの一側には挿穴が設けられることを特徴とする請求項１記載のマルチファンクションプラグ変換器。
【請求項１０】
上記ケース内には充電ユニットが設けられ、この充電ユニットは第１のプラグと第２のプラグとに電気的に接続され、またこの充電ユニットには導線が接続され、この導線の一端はコネクタに接続されることを特徴とする請求項１記載のマルチファンクションプラグ変換器。
【請求項１１】
上記ケース内には充電ユニットが設けられ、この充電ユニットは第１のプラグと第２のプラグとに電気的に接続され、またコネクタにも接続されることを特徴とする請求項１記載のマルチファンクションプラグ変換器。
【請求項１２】
上記ケース内には弾性的に導線を巻き取るための線巻機が設けられ、この導線は第１のプラグと第２のプラグとを電気的に接続することを特徴とする請求項１記載のマルチファンクションプラグ変換器。
【考案の詳細な説明】
【技術分野】
【０００１】
本考案は、マルチファンクションプラグ変換器に関わるもので、とくに、実際の要求に応じて異なる仕様のプラグが変更でき、かつ、異なる仕様なプラグの変更操作が一回で完成出来、操作容易かつ便利なマルチファンクションプラグ変換器に関するものである。
【背景技術】
【０００２】
現在、多種類の異なる仕様のプラグを有する変換器が知られている。このプラグはアメリカ、イギリス、ヨーロッパ、中国大陸、台湾などの仕様にすることができ、ユーザは実際の要求に応じて適当な仕様のプラグを選んで商用電源に挿入できるので、異型の商用電源に挿入できるようになる。このような変換器は使用上では比較的に変化性を持ち、消費者は実際の要求に応じてプラグを変更できるため、同時に複数の異なる仕様のプラグを購入する必要がなく、消費者の負担が減少できる。（特許文献１、特許文献２参照）
【特許文献１】中華民国特許ｔｗ５０９４１０
【特許文献２】中華民国特許ｔｗ５７９１０８
【考案の開示】
【考案が解決しようとする課題】
【０００３】
但し、上記従来の変換器は、異なる仕様なプラグの変換操作を行うとき、先に元々伸び出してるプラグを収納すべき、また内部に収納されたもう一つの仕様のプラグを伸び出す必要がある為、このようなプラグの変換操作は一回だけて完成できなく、二回の動作に分けて行わなければならないことから、操作上の不便になりかねない。
【０００４】
以上で分かるように、上記従来の変換器は、実際の使用では明らかに不便を持ち並びに欠点が存在するため、改良が求められる。
【０００５】
そのため、本考案者は、上記の欠点が改良出来ることを実感したため、専心な研究並びに学術の利用によって、設計が合理かつ上記欠点が有効に改良出来る本考案の新たな構成を提案し出した。
【課題を解決するための手段】
【０００６】
本考案の主な目的は、多種の異なる仕様のプラグを有し、実際の要求に応じてプラグが変更でき、異なる仕様なプラグを変更するときに一回で完成出来、操作容易かつ便利なマルチファンクションプラグ変換器を提供する。
【０００７】
その目的を達成するために、本考案は、ケースと、このケース内に摺動自在に設けられる第1のプラグと、このケース内に摺動自在に設けられる第２のプラグと、第1のプラグと第２のプラグとが互いに対して動きできるように、第1のプラグと第２のプラグとの間に接続される連動手段と、第1のプラグに接続され第1のプラグ及び第２のプラグが伸びだし並びに収納されるとき位置決めを行う位置決め手段とを備えるマルチファンクションプラグ変換器を提供する。
【０００８】
本考案の特徴及び技術内容を更に理解させるため、以下の本考案に係わる詳細な説明及び添付図面を参考にできるが、添付図面は参考及び説明用だけに提供され、本考案に制限するものではない。
【考案の効果】
【０００９】
このような特徴を有する本考案によれば、異なる仕様のプラグの変換操作を行うときに、連動手段より二つのプラグが互いに対しての動きを生じさせることができ、即ち、一方のプラグだけを押すことにより前に伸出または後ろに収納される動作を行わせることで、もう一方のプラグを連動して対応の収納又は前に伸出する動作が出来るため、このようなプラグの変更操作は一回で完成出来、操作容易かつ便利になる。
【考案を実施するための最良の形態】
【００１０】
図１〜図６を参照すると、本考案はケース１０と、第1のプラグ２０と、第２のプラグ３０と、連動手段４０と、位置決め手段５０と、１対の導電部品６０とを備えるマルチファンクションプラグ変換器を提供している。上記ケース１０はプラスチック材より作製され、係合または螺合などの手段にて第１の半ケース１１と第２の半ケース１２で中空のケースを組み立てることにより、上記ケース１０内には第1のプラグ２０と、第２のプラグ３０と、連動手段４０と、位置決め手段５０と、導電部品６０となどの部品を収納、連結できる。また、上記ケース１０の前側には１対の第１貫通穴１３と１対の第２貫通穴１４が設けられ、かつ、上記ケース１０の上部側には長い滑り溝１５が開設される。
【００１１】
上記第1のプラグ２０は導電材より作製される１対の第１のピン２１を含み、これら１対の第１のピン２１の後端は第１のベース部２２に挿入、接続される。この第１のベース部２２の上に二つのＵ字形の第１の導電シート２３が嵌め合い、固定され、かつ、この第１のベース部２２の途中に一列の間隔を隔って配列される第１の柱体２４が設けられ、これらの第１の柱体２４が歯列構成のように形成される。上記第1のプラグ２０は、第１のベース部２２がケース１０内の上半部に摺動可能に設けられることで、第1のプラグ２０の第１のピン２１が第１貫通穴１３に通って前に伸び出され又は後に収納される。上記第1のプラグ２０の仕様は、特に限定されるものではなく、必要に応じて変更出来、アメリカ、イギリス、ヨーロッパ、中国大陸、台湾などの仕様にすることができる。
【００１２】
上記第２のプラグ３０は導電材より作製される１対の第２のピン３１を含み、これら１対の第２のピン３１の後端は第２のベース部３２に挿入、接続される。この第２のベース部３２の上に二つのＵ字形の第２の導電シート３３が嵌め合い、固定され、かつ、この第２のベース部３２の途中に一列の間隔を隔って配列される第２の柱体３４が設けられ、これらの第２の柱体３４が歯列構成のように形成される。上記第２のプラグ３０は、第２のベース部３２がケース１０内の下半部に摺動可能に設けられることで、第２のプラグ３０の第２のピン３１が第２貫通穴１４に通って前に伸び出され又は後に収納されるが、上記第２のプラグ３０の仕様は、特に限定されるものではなく、必要に応じて変更出来、アメリカ、イギリス、ヨーロッパ、中国大陸、台湾などの仕様にすることができる。
【００１３】
上記連動手段４０は、枢座４１と歯車４２とを有し、この枢座４１は係合などの手段にてケース１０内に適当に固定され、歯車４２がケース１０内に回転自在に行われるように歯車４２が該枢座４１に枢設される。上記連動手段４０は、第1のプラグ２０と第２のプラグ３０との間に位置し、歯車４２の上辺側及び下辺側をそれぞれ第1のプラグ２０及び第２のプラグ３０の柱体２４、３４と噛み合わせている。この連動手段４０が第1のプラグ２０と第２のプラグ３０との間に接続されることによって、第1のプラグ２０と第２のプラグ３０とを互いに対して連動させることができる。即ち、第1のプラグ２０が前に伸び出されるときに、第２のプラグ３０は連動手段４０の歯車４２の駆動によって後ろに収納される動作が出来、第1のプラグ２０が後ろに収納されるときに、第２のプラグ３０は連動手段４０の歯車４２の駆動によって前に伸び出される動作が出来る。
【００１４】
上記位置決め手段５０はスライダー５１を備え、このスライダー５１の上にプッシュボタン５２が突設され、このスライダー５１はケース１０内に摺動可能に設けられ、かつ、プッシュボタン５２はケース１０の滑り溝１５内に摺動可能に嵌合され、ユーザがプッシュボタン５２を押し並びに前後方向に移動できるように、プッシュボタン５２がケース１０の上部側に貫通し適当な高さに突出される。このスライダー５１の底部に四つの柱型ピン５３及び四つの片状ピン５４が突設され、これらの柱型ピン５３及び片状ピン５４が第1のプラグ２０の第１のベース部２２上の対応する挿穴２５、２６に動き可能に挿入されることで、上記位置決め手段５０と第1のプラグ２０を接続させ、位置決め手段５０のプッシュボタン５２が前後方向に移動することにより、第1のプラグ２０の第１のピン２１を連動して前に向いて水平方向に伸び出され、又は後ろに向いてケース１０内に収納される動作を行うとともに、連動手段４０にて第２のプラグ３０の第２のピン３１を連動して、第1のプラグ２０の対応する後ろに向いてケース１０内に収納され、又は前に向いて水平方向に伸び出される動作を行う。
【００１５】
上記位置決め手段５０のスライダー５１と第1のプラグ２０の第1のプラグ２０の間に複数のスプリング５５が設けられ、これらのスプリング５５が上に移動するように付勢することよりスライダー５１とプッシュボタン５２などが上に向いて復位できる。また、このケース１０の内壁の上部両側の個所にそれぞれ三つの位置決め溝１６が設けられる。これらの位置決め溝１６はそれぞれ前、後及び中間の場所に設けられ、かつ、このスライダー５１の四つの片状ピン５４がスライダー５１の両側にやや突出され、これらの片状ピン５４を前及び中間の場所の位置決め溝１６内に選択可能に挿入、位置決めさせ、又は、後ろ及び中間の場所の位置決め溝１６内に挿入、位置決めさせる。
【００１６】
このプッシュボタン５２を下方向に押すと、スライダー５１及び四つの片状ピン５４が連動され下に向いて移動され、これらの片状ピン５４を位置決め溝１６から離脱させ、位置決め手段５０のプッシュボタン５２が前後方向に移動することにより、第1のプラグ２０を連動して前に向いて水平方向に伸び出され、又は後ろに向いてケース１０内に収納されるとともに、連動手段４０にて第２のプラグ３０を連動して後ろに向いてケース１０内に収納され、又は前に向いて水平方向に伸び出される。該二つのプラグ２０、３０の伸出、収納の変換が完成すると、このプッシュボタン５２を下方向に押す力を放し、スプリング５５が上に付勢することよりスライダー５１とプッシュボタン５２などが上に向いて移動、復位され、また、スライダー５１の四つの片状ピン５４が対応する位置決め溝１６内に挿入、位置決められることにより、該二つのプラグ２０、３０の伸出、収納の変換が完成したとき、安定的に位置決めができる。
【００１７】
該１対の導電部品６０は導電材より作製され、ケース１０内に並べて固定され、この二つの導電部品６０の後端には導線７０が各溶接にて電気的に接続され、この二つの導電部品６０の前端にはそれぞれ第１のコンタクト６１と第２のコンタクト６２が形成され、こららのコンタクト６１、６２はケース１０内の前側に位置され、また第１のコンタクト６１と第２のコンタクト６２が上、下に設けられ、それぞれ第１の導電シート２３及び第２の導電シート３３に対応される。
【００１８】
そのため、この第1のプラグ２０が前に伸び出されるときに、第1のプラグ２０の二つの第１の導電シート２３はこの二つの導電部品６０の第１のコンタクト６１と接して、この導電部品６０と第1のプラグ２０とを電気的に接続させ、第1のプラグ２０より商用電源をこの二つの導電部品６０及び導線７０に供給するようになる。その時、第２のプラグ３０の二つの第２の導電シート３３がこの二つの導電部品６０の第２のコンタクト６２とはオフ状態になっている。
【００１９】
この第２のプラグ３０が前に伸び出されるときに（図８のように）、第２のプラグ３０の二つの第２の導電シート３３はこの二つの導電部品６０の第２のコンタクト６２と接して、この二つの導電部品６０と第２のプラグ３０とを電気的に接続させ、第２のプラグ３０より商用電源をこの二つの導電部品６０及び導線７０に供給されるようになる。その時、第１のプラグ２０の二つの第１の導電シート２３がこの二つの導電部品６０の第１のコンタクト６１とはオフ状態になっている。以上のようにして、本考案のマルチファンクションプラグ変換器が形成される。
【００２０】
さらに、上記第１のプラグ２０と第２のプラグ３０のピン２１、３１もそのまま導線７０に電気的に接続する（図を省略）。
【００２１】
本考案は、多種類の異なる仕様のプラグ２０、３０を備えており、これらのプラグはアメリカ、イギリス、ヨーロッパ、中国大陸、台湾などの仕様にすることができる。ユーザは実際の要求に応じて適当な仕様のプラグを選んで商用電源に挿入できるので、異型の商用電源に挿入できるようになり、使用上では比較的に変化性を持ち、消費者は実際の要求に応じてプラグを変更できるため、同時に複数の異なる仕様のプラグを購入する必要がなく、消費者の負担が減少できる。
【００２２】
本考案は、異なる仕様のプラグ２０、３０の変換操作を行うときに、連動手段４０より二つのプラグ２０、３０が互いに対しての動きを生じさせることができ、即ち、一方のプラグ２０だけを押すことにより前に伸出または後ろに収納される動作を行わせることで、もう一方のプラグ３０を連動して対応の収納又は前に伸出する動作が出来るため、このようなプラグの変更操作は一回で完成出来、操作容易かつ便利になる。
【００２３】
さらに、図９を参照すると、本考案のケース１０の外形も適当に変更が出来、このケース１０の一方の側に上記の実施例の導線に代わるための挿穴１７が設けられる。この挿穴１７はケース１０の内部の導電部品６０と対応するものであり、それに対応するプラグでこの挿穴１７に挿入されることにより、導電部品６０と電気的に接続することが達成できる。
【００２４】
さらに、図１０を参照すると、本考案のケース１０は挿穴１７と導線８０を共に設けることもできる。
【００２５】
また、図１１を参照すると、本考案のケース１０内にさらに充電ユニット８３を設けることができる。この充電ユニット８３はこれらのプラグ２０、３０と電気的に接続され、要望の電源を充電ユニット８３に供給できるようになり、また、この充電ユニット８３には導線８０が接続され、この導線８０の一端は電気製品或は充電可能な電池に挿入され充電を行うためのコネクタ８１に接続され、充電ユニット８３には充電座の機能を持たせる。また、この充電ユニット８３はそのままＵＳＢ型などのコネクタ８４にも接続できる（図１３のように）。
【００２６】
また、図１２を参照すると、本考案のケース１０内にはさらに弾性的に導線８０を巻き取るための線巻機８２を設けることができる。
【００２７】
また、図１４を参照すると、本考案の、第１のプラグ２０の二つの第１のピン２１の外にカバー２７が覆設できる。この第１のプラグ２０が二段に分けられ伸び出しており、即ち、この第１のプラグ２０は、カバー２７前の部分の第１のピン２１だけで伸び出し（図を省略）、または、第１のプラグ２０のカバー２７と第１のピン２１がともに伸び出す（図１４のように）。
【００２８】
以上に述べた事は、単に本考案の好ましい実施例に過ぎず、本考案の請求の範囲を限定するものではなく、総じて本考案の説明書及び図で示した内容等を運用するもので遂げる同等の構造変化は、同様に本考案の範囲内に於いて含まれる。
【産業上の利用可能性】
【００２９】
本考案は、マルチファンクションプラグ変換器に関わるもので、とくに、実際の要求に応じて異なる仕様のプラグが変更でき、かつ、異なる仕様なプラグの変更操作が一回で完成出来、操作容易かつ便利なマルチファンクションプラグ変換器に適用することができる。
【図面の簡単な説明】
【００３０】
【図１】本考案の第１の実施例の斜視図である。
【図２】本考案の第１の実施例のもう一つの角度から見る斜視図である。
【図３】本考案の第１の実施例の分解斜視図である。
【図４Ａ】本考案の第１の実施例の更なる分解斜視図である。
【図４Ｂ】本考案の第１の実施例の部分の分解斜視図である。
【図５】本考案の第１の実施例の縦断面図である。
【図６】図５の６−６線断面図である。
【図７】本考案の第１の実施例の使用状態を示す図である。
【図８】本考案の第１の実施例のもう一つの使用状態を示す図である。
【図９】本考案の第２の実施例の斜視図である。
【図１０】本考案の第３の実施例の斜視図である。
【図１１】本考案の第４の実施例の斜視図である。
【図１２】本考案の第５の実施例の斜視図である。
【図１３】本考案の第６の実施例の斜視図である。
【図１４】本考案の第７の実施例の斜視図である。
【符号の説明】
【００３１】
１０  ケース
１１  第１の半ケース
１２  第２の半ケース
１３  第１貫通穴
１４  第２貫通穴
１５  滑り溝
１６  位置決め溝
１７  挿穴
２０  第1のプラグ
２１  第１のピン
２２  第１のベース部
２３  第１の導電シート
２４  第１の柱体
２５  挿穴
２６  挿穴
２７  カバー
３０  第２のプラグ
３１  第２のピン
３２  第２のベース部
３３  第２の導電シート
３４  第２の柱体
４０  連動手段
４１  枢座
４２  歯車
５０  位置決め手段
５１  スライダー
５２  プッシュボタン
５３  柱型ピン
５４  片状ピン
５５  スプリング
６０  導電部品
６１  第１のコンタクト
６２  第２のコンタクト
７０  導線
８０  導線
８１  コネクタ
８２  線巻機
８３  充電ユニット
８４  コネクタ
【図１】
0003107160.tif 000003
【図２】
0003107160.tif 000004
【図３】
0003107160.tif 000005
【図４Ａ】
0003107160.tif 000006
【図４Ｂ】
0003107160.tif 000007
【図５】
0003107160.tif 000008
【図６】
0003107160.tif 000009
【図７】
0003107160.tif 000010
【図８】
0003107160.tif 000011
【図９】
0003107160.tif 000012
【図１０】
0003107160.tif 000013
【図１１】
0003107160.tif 000014
【図１２】
0003107160.tif 000015
【図１３】
0003107160.tif 000016
【図１４】
0003107160.tif 000017